(57)【特許請求の範囲】
【請求項１】
少なくとも電動送風機および回路基板が収納された本体ケースと、
前記本体ケースに設けられ、前面に電源プラグの引き出しが可能な開口を有するプラグ収納部と、
前記本体ケースの前記プラグ収納部内に位置する側板に設けられた複数の排気孔と、
前記側板に設けられた電源コードの出入口に配置され、前記側板に対して内側から対向する平板部材および該平板部材に前記複数の排気孔と対向しないように設けられた複数の通気孔を有し、電源プラグが本体ケース内に入らないようにするためのプラグストッパ部と
を備えたことを特徴とする電気掃除機。
【請求項２】
少なくとも電動送風機および回路基板が収納された本体ケースと、
前記本体ケースに設けられ、前面に電源プラグの引き出しが可能な開口を有するプラグ収納部と、
前記本体ケースの前記プラグ収納部内に位置する側板に設けられた複数の排気孔と、
前記側板に設けられた電源コードの出入口に配置され、前記側板に対して内側から対向する平板部材および該平板部材に設けられた１つあるいは複数の通気孔を有し、電源プラグが本体ケース内に入らないようにするためのプラグストッパ部と、
前記プラグストッパ部の平板部材と前記側板との間に設けられ、前記平板部材に設けられた１つあるいは複数の通気孔を通って前記側板の複数の排気孔から排気される前記電動送風機からの冷却風を濾過するフィルターと
を備えたことを特徴とする電気掃除機。
【請求項３】
前記本体ケース内に設けられたコードリール収納室と、
前記コードリール収納室の前記プラグストッパ部と対向する側壁に設けられ、前記電動送風機からの冷却風を前記コードリール収納室内に導入する複数の冷却風導入孔と
を備えたことを特徴とする請求項１又は２記載の電気掃除機。
【請求項４】
前記回路基板に設けられた放熱手段と、
前記本体ケースの前記放熱手段の近傍に設けられ、前記放熱手段に流れる前記電動送風機からの冷却風を外部に排気する複数の排気孔と
を備えたことを特徴とする請求項１乃至３の何れかに記載の電気掃除機。
【請求項５】
前記回路基板が収納された基板ケースを備え、
前記基板ケースは、前記コードリール収納室の側壁と対向する部分に下方に傾斜する傾斜面が設けられていることを特徴とする請求項４記載の電気掃除機。
【請求項６】
前記コードリール収納室内の底面は、前記プラグ収納部側に向かうに連れ上方に傾斜していることを特徴とする請求項３乃至５の何れかに記載の電気掃除機。
【発明の詳細な説明】
【技術分野】
【０００１】
本発明は、特にコードリール収納室内を冷却する電気掃除機に関するものである。
【背景技術】
【０００２】
従来の電気掃除機として、送風機収容室に流入した空気を、リールサポータの側面板に形成された通気孔からコードリール収容室に流入させ、リールサポータの周面板に形成された排気孔から排気させることで、コード収容室を通過させてコード収容室を冷却し、その空気をハウジングの後面に形成された排気孔から排気させるものがある（例えば、特許文献１参照）。
【先行技術文献】
【特許文献】
【０００３】
【特許文献１】特開２００６−１７４８５８号公報（第１５頁、図４、図１９および図２１）
【発明の概要】
【発明が解決しようとする課題】
【０００４】
前述した従来の電気掃除機においては、排気孔から熱気が直接排気されることがないのでユーザーが不快感を感じることはないが、ハウジングの後面に複数の排気孔が設けられているため、外観性が損なわれるという課題があった。
【０００５】
本発明は、前述のような課題を解決するためになされたものであり、電源プラグを収納するプラグ収納室から冷却風を排気するようにしても外観性を損なうことなく、しかも効率良く冷却できる電気掃除機を提供することを目的とする。
【課題を解決するための手段】
【０００６】
本発明に係る電気掃除機は、少なくとも電動送風機および回路基板が収納された本体ケースと、本体ケースに設けられ、前面に電源プラグの引き出しが可能な開口を有するプラグ収納部と、本体ケースのプラグ収納部内に位置する側板に設けられた複数の排気孔と、その側板に設けられた電源コードの出入口に配置され、前記側板に対して内側から対向する平板部材および該平板部材に複数の排気孔と対向しないように設けられた複数の通気孔を有し、電源プラグが本体ケース内に入らないようにするためのプラグストッパ部とを備えたものである。
【発明の効果】
【０００７】
本発明においては、プラグストッパ部の平板部材に設けられた複数の通気孔をプラグ収納部内に位置する複数の排気孔と対向しないようにずらしている。これにより、プラグ収納部の開口から内部が見えなくなり、このため、外観性を損なうということがなく、電動送風機からの冷却風を前記通気孔を介して複数の排気孔から排気することが可能になり、本体ケース内を効率良く冷却することができる。
【図面の簡単な説明】
【０００８】
【図１】実施の形態に係る電気掃除機を上方から見て示す平面図である。
【図２】図１に示す電気掃除機の側面図である。
【図３】図１の電気掃除機を斜め後ろから見て示す斜視図である。
【図４】図１の電気掃除機を後方から見て示す背面図である。
【図５】実施の形態に係る電気掃除機のプラグ収納部およびコードリール収納室を切断して示す部分断面図である。
【図６】図５に示す電気掃除機のプラグ収納部に設けられたプラグストッパ部の斜視図である。
【図７】実施の形態に係る電気掃除機の下ケース内を示す斜視図である。
【図８】図７に示す電動送風機の駆動による本体ケース内の冷却風の排気経路を示す模式図である。
【図９】図５に示すコードリール収納室内の冷却風の排気経路を示す模式図である。
【発明を実施するための形態】
【０００９】
図１は実施の形態に係る電気掃除機を上方から見て示す平面図、図２は図１に示す電気掃除機の側面図、図３は図１の電気掃除機を斜め後ろから見て示す斜視図、図４は図１の電気掃除機を後方から見て示す背面図である。
これらの図において、電気掃除機の本体ケース１は、上ケース２と下ケース３の組み合わせによって構成され（図２参照）、その内部に電動送風機、回路基板、電源コードのコードリールなどが収納されている。また、本体ケース１の前部には、上ケース２と下ケース３の組み合わせにより構成されたホース接続部４が設けられている。上ケース２の上部は、ホース接続部４側を前部として後方に向かうに連れ上方に傾斜している。その傾斜した上部には、後述する集塵器２１がホース接続部４側を前部として装着されている。
【００１０】
ホース接続部４の前部には、可撓性を有するホースが着脱自在に接続される接続口５が設けられている。また、ホース接続部４には、両側から上方に延びて形成された門型状の取っ手６が設けられている。上ケース２の一方の側板には円筒状の吸気管７が取り付けられている。その吸気管７は、流入口８側がホース接続部４内に挿入されて前述の接続口５と連結され、流出口９が集塵器２１の側板から突出する吸引口２２に着脱自在に接合されている。上ケース２のもう一方の側板には、断面形状がお椀状に形成された排気部１０が取り付けられている。その排気部１０は、電動送風機の駆動により集塵器２１を通って吸引された空気（冷却風）を外部に排気する複数の排気孔１１を有している。
【００１１】
上ケース２の後部には、プラグ収納部１２および空気吸引部１３が設けられている。プラグ収納部１２は、上ケース２より後方に突出して設けられ、前面に電源プラグ１２ａの引き出しが可能な開口を有している。また、プラグ収納部１２内には、前述の電源プラグ１２ａの他に複数の排気孔１２ｂが設けられている（図４参照）。その複数の排気孔１２ｂは、上ケース２のプラグ収納部１２内に位置する側板２ｂを貫通して構成されている。空気吸引部１３は、上ケース２から上方に延びており、上方から見て電動送風機の収納室と繋がる略四辺形状の孔を有している。
【００１２】
集塵器２１の後部には、後方に突出して下方に延びる空気排出部２３が設けられている。その空気排出部２３は、上ケース２の後部に設けられた空気吸引部１３と着脱自在に接合されている。また、集塵器２１の後部中央には、操作レバー２４が設けられている。その操作レバー２４が引き上げられたときに、集塵器２１が上ケース２から外れるようになっている。
【００１３】
また、集塵器２１は、内部にサイクロン集塵室を備えている。そのサイクロン集塵室は、吸引口２２から流入する空気と塵埃を旋回させ、その遠心力で大きい塵と細かい塵を分離して大きい塵を集塵室に集塵する第１旋回室、第１旋回室で分離された細かい塵を空気と共に旋回させ、その遠心力で空気から細かい塵を分離して集塵室に集塵する第２旋回室などを有している。集塵器２１内への空気および塵埃の吸引と分離は、電動送風機の駆動によるものである。第２旋回室で分離された空気は、電動送風機の駆動により空気排出部２３および空気吸引部１３を通って電動送風機の収納室内に吸引され、本体ケース１内の冷却風として使用される。
【００１４】
図５は実施の形態に係る電気掃除機のプラグ収納部およびコードリール収納室を切断して示す部分断面図、図６は図５に示す電気掃除機のプラグ収納部に設けられたプラグストッパ部の斜視図、図７は実施の形態に係る電気掃除機の下ケース内を示す斜視図である。なお、本実施の形態では、図５に示すフィルター１５は無いものとして説明する。そのフィルター１５については実施の形態の変形例として後述する。
前述した電源プラグ１２ａは、図４および図５に示すように、プラグ収納部１２内の奧に設けられたプラグストッパ部１４によって、コードリール収納室３１内に入らないように係止されている。プラグストッパ部１４は、上ケース２のプラグ収納部１２内に位置する側板２ａ、２ｂに設けられた電源コード１２ｄの出入口１２ｃに配置されている。
【００１５】
プラグストッパ部１４は、図６に示すように、係止部材１４ａと平板部材１４ｂとで構成されている。係止部材１４ａは、内側が上向きにＣの字状に形成され、その上部に互いに側面が対向する２つの溝１４ｄを有する嵌合部１４ｃが設けられている。平板部材１４ｂは、係止部材１４ａからくの字状に折り曲げられて下方に延びて四辺形状に形成されている。その平板部材１４ｂには、その平板を貫通する複数の通気孔１４ｅが設けられている。
【００１６】
プラグストッパ部１４は、図５に示すように、係止部材１４ａに設けられた嵌合部１４ｃの溝１４ｄに側板２ａを嵌合させて固定されている。そのときの平板部材１４ｂは、側板２ｂに対して内側から対向する位置にある。また、平板部材１４ｂの複数の通気孔１４ｅは、図５に図示していないが、側板２ｂに設けられた複数の排気孔１２ｂと対向しないようにずれている。
【００１７】
コードリール収納室３１のプラグストッパ部１４と対向する側壁３２には、その側壁３２の長手方向において略下部側に配列された複数の冷却風導入孔３３が設けられている。その複数の冷却風導入孔３３は、電動送風機４１からの冷却風をコードリール収納室３１内の底部側に導入させる孔である。基板ケース４２内に設けられた回路基板には、フィルター４３と対向する側に櫛刃形状の放熱板を向けたヒートシンク４４（放熱手段）が設けられている。そのヒートシンク４４の上方には、前述したように複数の排気孔１１を有する排気部１０が設けられている（図１参照）。基板ケース４２には、コードリール収納室３１の側壁３２と対向する部分に下方に傾斜する傾斜面４２ａが設けられている。
【００１８】
次に、本体ケース１内の冷却風の流れについて図８および図９を用いて説明する。
図８は図７に示す電動送風機の駆動による本体ケース内の冷却風の排気経路を示す模式図、図９は図５に示すコードリール収納室内の冷却風の排気経路を示す模式図である。
電動送風機４１の駆動により吸引された集塵器２１からの空気は、その電動送風機４１によってフィルター４３側に送り込まれ、図８に示す矢印のように排気部１０側へ流れる空気とコードリール収納室３１側に流れる空気とに分かれる。前者の空気は、冷却風としてヒートシンク４４に当たり、ヒートシンク４４の放熱板の間を上昇し、上ケース２の側板に設けられた排気部１０の排気孔１１から外部へ排気される。
【００１９】
また、後者の空気は、前記と同様に冷却風として基板ケース４２の上面を接触しながら流れ、本体ケース１の前部内側に当たってユータンし、ヒートシンク４４に当たった空気により、コードリール収納室３１の側壁３２側に誘導される。誘導された空気のうち基板ケース４２の上面側の空気は、基板ケース４２に形成された傾斜面４２ａに沿って複数の冷却風導入孔３３からコードリール収納室３１内に流入する。コードリール収納室３１内に流入した空気は、図９に示すように、コードリール収納室３１の底面側を流れて上昇し、渦巻状となる。この時、一部の空気は、プラグストッパ部１４の平板部材１４ｂに設けられた複数の通気孔１４ｅを通過して複数の排気孔１２ｂから外部に排気される。なお、コードリール収納室３１内の底面を、プラグ収納部１２側に向かうに連れて上方に傾斜するように構成しても良い。その底面を斜めにした場合、冷却風導入孔３３を通過する空気の流れが滑らかになる。また、電気掃除機の組み立て時にコードリールの位置決めが容易となる。
【００２０】
以上のように実施の形態においては、プラグストッパ部１４の平板部材１４ｂに設けられた複数の通気孔１４ｅをプラグ収納部１２内に位置する複数の排気孔１２ｂと対向しないようにずらしている。これにより、プラグ収納部１２の開口から内部が見えなくなり、外観性を損なうことがない。また、コードリール収納室３１内からの排気による熱気が直接排気されることがなくなり、ユーザーに不快感を与えるということがなくなっている。
【００２１】
また、コードリール収納室３１の側壁３２の下部側に複数の冷却風導入孔３３を設け、基板ケース４２の冷却風導入孔３３と対向する部分に傾斜面４２ａを設けているので、コードリール収納室３１内への空気の流れが良くなり、冷却性能が向上する。
また、電動送風機４１の送風側の回路基板にヒートシンク４４を設けているので、回路基板の冷却が向上すると共に、電動送風機４１からの空気がコードリール収納室３１側へ流れ易くなる。
【００２２】
なお、本実施の形態では、プラグストッパ部１４の平板部材１４ｂに設けられた複数の通気孔１４ｅをプラグ収納部１２内に位置する複数の排気孔１２ｂと対向しないようにずらして、プラグ収納部１２の開口から内部が見えないようにしたが、前述の通気孔１４ｅをずらすことなくプラグ収納部１２の開口から見えないようにしても良い。例えば、プラグストッパ部１４の平板部材１４ｂに１つの四辺形状の通気孔を設け、平板部材１４ｂと側板２ｂとの間に、その通気孔を通って側板２ｂの複数の排気孔１２ｂから排気される電動送風機４１からの冷却風を濾過するフィルター１５を設ける（図５参照）。なお、平板部材１４ｂの通気孔は、平板部材１４ｂが四辺形のリング状となるような大きさである。また、通気孔は、２つ以上設けるようにしても良い。その場合、１つのときの通気孔と比べ内径の寸法が小さくなる。
【００２３】
そのフィルター１５により、プラグ収納部１２の開口から内部が見えなくなり、外観性を損なうことがなくコードリール収納室３１内を冷却することができる。また、フィルター１５によってコードリール収納室３１内からの排気による熱気が直接排気されることがなくなり、ユーザーに不快感を与えるということがなくなっている。
【符号の説明】
【００２４】
１  本体ケース、２  上ケース、２ａ、２ｂ  側板、３  下ケース、４  ホース接続部、５  接続口、６  取っ手、７  吸気管、８  流入口、９  流出口、１０  排気部、１１  排気孔、１２  プラグ収納部、１２ａ  電源プラグ、１２ｂ  排気孔、１２ｃ  出入口、１２ｄ  電源コード、１３  空気吸引部、１４  プラグストッパ部、１４ａ  係止部材、１４ｂ  平板部材、１４ｃ  嵌合部、１４ｄ  溝、１４ｅ  通気孔、１５  フィルター、２１  集塵器、２２  吸引口、２３  空気排出部、２４  操作レバー、３１  コードリール収納室、３２  側壁、３３  冷却風導入孔、４１  電動送風機、４２  基板ケース、４２ａ  傾斜面、４３  フィルター、４４  ヒートシンク。
【図１】
0005402835.tif 000002
【図２】
0005402835.tif 000003
【図３】
0005402835.tif 000004
【図４】
0005402835.tif 000005
【図５】
0005402835.tif 000006
【図６】
0005402835.tif 000007
【図７】
0005402835.tif 000008
【図８】
0005402835.tif 000009
【図９】
0005402835.tif 000010